(57)【特許請求の範囲】
【請求項１】
ズームレンズを保持する鏡胴と、
光軸方向に移動する変倍レンズを有するズームファインダ光学系と、
前記変倍レンズ若しくは前記変倍レンズを保持するレンズ枠から突出したカムピンと、
該カムピンの側壁と当接するカム面を有し、前記鏡胴の移動に連動して前記カムピンを駆動するカム部材と、を備えたカメラにおいて、
前記カム面は前記変倍レンズ側の端部でのみ前記カムピンの側壁に当接し、該端部を除くカム面は前記カムピンの側壁から退避していることを特徴とするカメラ。
【発明の詳細な説明】
【０００１】
【発明の属する技術分野】
本発明は、ズームレンズを保持する鏡胴の移動に連動してズームファインダの変倍を行うカム部材を備えたカメラに関する。
【０００２】
【従来の技術】
ズームレンズからなる撮影レンズを備えたカメラにおいては、ズーミングに連動して変倍を行うズームファインダを有している。即ち、ズームレンズを保持する鏡胴がズーミングによって光軸方向に移動すると、これに連動してカム面を有するカム板が移動する。ズームファインダには光軸方向に移動する変倍レンズがあり、変倍レンズや変倍レンズを保持するレンズ枠からカムピンが突出して、カム板のカム面と係合している。従って、カム板の移動によって変倍レンズが光軸方向に移動してズームファインダの変倍が行われる。
【０００３】
【発明が解決しようとする課題】
図７に前述のカム板の１例を拡大断面図にて示す。ズームファインダ光学系の変倍レンズから２本のカムピン５１，５２が突出しており、カムピン５１の側壁がカム板５３のカム面５３ａに当接し、カムピン５２の側壁がカム板５３のカム面５３ｂに当接しているものとする。カム板５３は樹脂成型されるのが一般的であり、図の上方向に型抜きされるので、カム面５３ａ，５３ｂには抜き勾配が必要となって、誇張すると図の如き傾斜面となっている。
【０００４】
ここで、変倍レンズの寸法のばらつき、ズームファインダ光学系を保持する筐体の組立位置のばらつき、カム板５３の組立位置のばらつき等が実際には生ずる。このため、図７に示すように、カムピン５１，５２に対するカム板５３の相対位置が実線の位置から破線の位置に上下方向にばらつくことがある。この結果、カムピン５１，５２とカム面５３ａ，５３ｂとの当接位置が左右方向にばらつくので、変倍レンズの位置が左右方向、即ちズームファインダ光学系の光軸方向にばらついて、正確な変倍動作が行われないことになる。
【０００５】
本発明はかかる問題に鑑みてなされたものであり、カムピンやカム板が上下にばらついても、変倍レンズの位置が光軸方向にばらつくことがないカメラを提案することを目的とするものである。
【０００９】
【課題を解決するための手段】
前述の目的は下記の手段により解決される。
【００１０】
ズームレンズを保持する鏡胴と、光軸方向に移動する変倍レンズを有するズームファインダ光学系と、前記変倍レンズ若しくは前記変倍レンズを保持するレンズ枠から突出したカムピンと、該カムピンの側壁と当接するカム面を有し、前記鏡胴の移動に連動して前記カムピンを駆動するカム部材と、を備えたカメラにおいて、前記カム面は前記変倍レンズ側の端部でのみ前記カムピンの側壁に当接し、該端部を除くカム面は前記カムピンの側壁から退避していることを特徴とするカメラ。
【００１３】
【発明の実施の形態】
本発明のカメラにおける実施の形態を図を参照して詳細に説明する。
【００１４】
先ず、鏡胴とズームファインダの関係を図１を参照して説明する。図１は鏡胴とズームファインダ等の斜視図である。
【００１５】
１は撮影レンズであるズームレンズを保持する鏡胴であり、２はズームファインダである。図示していないズームボタンを操作すると、モータ３が回転して第１減速歯車列４を介して鏡胴１に設けた歯車５を回転させる。すると、歯車５の回転は鏡胴１の内部機構に伝達され、鏡胴内部のレンズ群を駆動してズーミングを行う。第１減速歯車列４の回転は第２減速歯車列６を介して、カム板７に設けた部分歯車７ａに伝達され、カム板７を図の左右方向に回動させる。なお、カム板７は鏡胴１とズームファインダ２との間隙に配置されている。
【００１６】
次に、ズームファインダ２の構成を図２を参照して説明する。図２はズームファインダの横断面図である。
【００１７】
ズームファインダ２の光学系は、固定レンズである第１レンズ１１、変倍レンズである第２レンズ１２、変倍レンズである第３レンズ１３、及び固定レンズである第４レンズ１４により対物光学系１５が形成されている。その後に、プリズム１６により屈折光学系が形成され、続いて接眼レンズ１８により接眼光学系が形成されている。
【００１８】
対物光学系１５において、第１レンズ１１と第４レンズ１４は筐体２１に固定されているが、第２レンズ１２と第３レンズ１３は案内軸２２，２３に沿って光軸方向に移動する。前述の如く鏡胴１のズーミング動作に連動してカム板７が回動し、詳細に後述するがカム板７の回動によって第２レンズ１２と第３レンズ１３とは光軸方向に移動する。これにより、対物光学系１５の焦点距離が変化してズームファインダ光学系が変倍することになる。
【００１９】
被写体光は対物光学系１５に入射し、対物光学系１５より射出した被写体光はプリズム１６に入射してから２回反射した後、射出するが、この射出面が対物光学系１５の合焦位置になっており、被写体光が結像する。この結像した像を反射鏡１７にて反射させ、接眼レンズ１８により拡大して観察することになる。
【００２０】
なお、プリズム１６の射出面には視野枠２４が配置されており、ファインダの視野が規定されている。
【００２１】
また、反射鏡１７は縦断面形状がＶ字状に凹んでいるダハミラーとなっている。
【００２２】
対物光学系１５により形成された像は上下左右に倒立しているが、上下方向には反射鏡１７で２回反射し、左右方向にはプリズム１６で２回、反射鏡１７で１回反射するので、接眼レンズ１８によって上下左右に正立した像として視認することができる。
【００２３】
次に、カム板７により変倍レンズである第２レンズ１２と第３レンズ１３とを光軸方向に移動させる構成を、図３を参照して説明する。図３はカム板と変倍レンズ等の斜視図である。
【００２４】
正面から見て第２レンズ１２の右下には第２レンズ１２と一体に円筒状案内部１２ａが設けられており、同様に第３レンズ１３の右下には第３レンズ１３と一体に円筒状案内部１３ａが設けられている。この円筒状案内部１２ａと円筒状案内部１３ａとに設けた孔に案内軸２２が貫通している。また、正面から見て第２レンズ１２の左上には第２レンズ１２と一体に切り欠き１２ｂが設けられており、同様に第３レンズ１３の左上には第３レンズ１３と一体に切り欠き１３ｂが設けられている。この切り欠き１２ｂと切り欠き１３ｂとに案内軸２３が貫通している。
【００２５】
また、第２レンズ１２の円筒状案内部１２ａの下部にはカムピン１２ｃが設けられ、第３レンズ１３の円筒状案内部１３ａの下部にはカムピン１３ｃが設けられている。更に、円筒状案内部１２ａの側部にはバネ掛け１２ｄが設けられ、円筒状案内部１３ａの側部にはバネ掛け１３ｄが設けられていて、両者に引っ張りバネ２５が掛けられている。従って、引っ張りバネ２５によってカムピン１２ｃ，１３ｃは互いに接近する方向に付勢されている。
【００２６】
前述の如くズームファインダ２の下方にはカム板７が配置され、カム板７はカム面７ｂ，７ｃを有している。そして、カムピン１２ｃの側壁はカム面７ｂに圧接し、カムピン１３ｃの側壁はカム面７ｃに圧接している。
【００２７】
これにより、前述の如く鏡胴１に連動してカム板７が矢印方向に回動すると、カムピン１２ｃはカム面７ｂによって移動され、カムピン１３ｃはカム面７ｃによって移動されるので、第２レンズ１２と第３レンズ１３は案内軸２２，２３に沿って光軸方向に移動される。
【００２８】
次に、カム面７ｂ，７ｃについて図４を参照して詳述する。図４はカム板の拡大断面図である。
【００２９】
カム面７ｂ，７ｃは従来技術と逆の傾斜に形成されている。これにより、カムピン１２ｃの側壁はカム面７ｂにおける第２レンズ１２側の端部でのみ当接し、端部を除くカム面７ｂはカムピン１２ｃより退避している。また、カムピン１３ｃの側壁はカム面７ｃにおける第３レンズ１３側の端部でのみ当接し、端部を除くカム面７ｃはカムピン１３ｃより退避している。従って、変倍レンズの寸法のばらつき、筐体２１の組立位置のばらつき、カム板７の組立位置のばらつき等が生じても、カム板７が同じ位置にあるときは従来技術の如くカムピン１２ｃとカムピン１２ｄの間隔が変動するようなことは生ぜず、第２レンズ１２と第３レンズ１３はカム面７ｂ，７ｃによって定められた移動を常に行う。
【００３０】
なお、カム面に成型方法としてスライドコア方式を用い、カム面７ｂについては金型を左方に移動した後、上方に移動させ、カム面７ｃについては金型を右方に移動した後、上方に移動させる。これによって、図４の如きアンダーカットの形状でも成型可能である。
【００３１】
次に、カム板７の保持のされ方について図５及び図６を参照して説明する。図５は光軸と平行なカム板７の断面図、図６は光軸と直交するカム板７の断面図である。
【００３２】
前述の如く、カム板７は鏡胴１とズームファインダ２との間隙に配置されており、上下方向の位置が定められている。また、鏡胴１の後部には円弧状に形成された突部１ａがカム板７の下面に設けた長溝７ｄと係合しており、カム板７は光軸方向に位置決めされている。
【００３３】
なお、カム板７は鏡胴１に沿った円弧状に形成され、光軸を中心に回動する。光軸を中心としてカム板７の左右幅を角度θで表すと、図６に明らかなようにカム板７は左右に大きく回動する。このとき、カム板７が上方へ浮き上がるのを常に抑えているように、筐体２１の前部には浮き上がり防止部２１ａが一体に形成され、カム板７が左右のどちらに回動しても確実に浮き上がり防止部２１ａによって浮き上がりが防止されている。
【００３４】
なお、図１に示すように浮き上がり防止部２１ａの左右端部を小ネジ８により鏡胴１にネジ止めしている。
【００３５】
以上の実施の形態においては、カムピンを変倍レンズから一体的に突出させた構成としたが、これに限定されるものではなく、変倍レンズを保持するレンズ枠を設け、このレンズ枠からカムピンを突出させてもよい。
【００３６】
また、特許請求の範囲におけるカム部材はカム板７に相当するが、カム部材は必ずしも円弧状に形成されていなくてもよく、平板状であってもよい。
【００３７】
【発明の効果】
請求項１に記載のカメラによれば、変倍レンズの寸法のばらつき、ズームファインダ光学系を保持する筐体の組立位置のばらつき、カム板５３の組立位置のばらつき等によってカムピンとカム板との相対位置が上下にばらついても、変倍レンズの位置が光軸方向にばらつくことがなく、正確にズームファインダ光学系の変倍を行うことができる。
【図面の簡単な説明】
【図１】鏡胴とズームファインダ等の斜視図である。
【図２】ズームファインダの横断面図である。
【図３】カム板と変倍レンズ等の斜視図である。
【図４】カム板の拡大断面図である。
【図５】光軸と平行なカム板の断面図である。
【図６】光軸と直交するカム板の断面図である。
【図７】従来のカム板の拡大断面図である。
【符号の説明】
１  鏡胴
２  ズームファインダ
７，５３  カム板
７ｂ，７ｃ，５３ａ，５３ｂ  カム面
１２  第２レンズ
１２ｃ，１３ｃ，５１，５２  カムピン
１３  第３レンズ
２１  筐体
２１ａ  浮き上がり防止部
【図１】
0003817997.tif 000002
【図２】
0003817997.tif 000003
【図３】
0003817997.tif 000004
【図４】
0003817997.tif 000005
【図５】
0003817997.tif 000006
【図６】
0003817997.tif 000007
【図７】
0003817997.tif 000008